(57)【特許請求の範囲】
【請求項１】
レーザ光源と、
四角形のメイン受光面を有する光検出器と、
前記レーザ光源が発生した光ビームを、多層光ディスクの複数の記録層のうちのアクセス対象層に集光させるとともに、該多層光ディスクで反射した前記光ビームである反射光ビームを前記光検出器に集光させるレンズ系と、
前記レンズ系を通過した前記反射光ビームに非点収差を与える非点収差光学素子と、
前記非点収差光学素子の２つの焦線位置のうち前記非点収差光学素子に近い前側焦線位置での前記信号光成分の断面形状の短手方向の両外側を遮蔽する遮蔽板とを備え、
前記光検出器は、前記メイン受光面の２つの対角線のうち前記断面形状の長手方向に対応する対角線の延長線上に設けられた補正用受光面をさらに有し、
前記メイン受光面の受光量及び前記補正用受光面の受光量に基づいてフォーカス誤差信号を生成する処理手段をさらに備える
ことを特徴とする光学ドライブ装置。
【請求項２】
前記遮蔽板を通過した前記反射光ビームが前記メイン受光面に形成するスポットの、前記断面形状の長手方向に対応する第１の方向の幅は、前記メイン受光面及び前記補正用受光面を含む前記光検出器の受光面の該第１の方向の幅より大きい
ことを特徴とする請求項１に記載の光学ドライブ装置。
【請求項３】
前記メイン受光面は、それぞれ正方形の第１乃至第４の受光領域に分割された４分割受光面であり、
前記補正用受光面は、第１及び第２の補正用受光面を含み、
前記反射光ビームに含まれる迷光成分が前記受光面に形成する迷光スポットの長手方向は、前記第１の受光領域と前記第３の受光領域とを結ぶ方向に一致し、
前記第２及び第４の受光領域のうち、前記迷光スポットが照射される部分をそれぞれ第１及び第２の領域とすると、
前記第１の補正用受光面は、前記第１の受光領域のうち前記第１又は第２の領域と前記メイン受光面の中心を中心として回転対称な領域を除く部分と、前記メイン受光面の前記第１の受光領域に含まれる第１の頂点を中心として１８０度対称な形状を有し、
前記第２の補正用受光面は、前記第３の受光領域のうち前記第１又は第２の領域と前記メイン受光面の中心を中心として回転対称な領域を除く部分と、前記メイン受光面の前記第３の受光領域に含まれる第２の頂点を中心として１８０度対称な形状を有する
ことを特徴とする請求項１又は２に記載の光学ドライブ装置。
【請求項４】
前記メイン受光面は、それぞれ正方形の第１乃至第４の受光領域に分割された４分割受光面であり、
前記補正用受光面は、第１及び第２の補正用受光面を含み、
前記反射光ビームに含まれる迷光成分が前記受光面に形成する迷光スポットの長手方向は、前記第１の受光領域と前記第３の受光領域とを結ぶ方向に一致し、
前記第１の補正用受光面は、前記第１の受光領域と、前記メイン受光面の前記第１の受光領域に含まれる第１の頂点を中心として１８０度対称な形状を有し、
前記第２の補正用受光面は、前記第３の受光領域と、前記メイン受光面の前記第３の受光領域に含まれる第２の頂点を中心として１８０度対称な形状を有する
ことを特徴とする請求項１又は２に記載の光学ドライブ装置。
【請求項５】
前記メイン受光面は、それぞれ正方形の第１乃至第４の受光領域に分割された４分割受光面であり、
前記処理手段は、前記第１及び第３の受光領域の各受光量の合計から、前記第２及び第４の受光領域の各受光量並びに前記補正用受光面の受光量の合計を減算することにより、フォーカス誤差信号を生成する
ことを特徴とする請求項１乃至４のいずれか一項に記載の光学ドライブ装置。
【請求項６】
前記処理手段は、前記メイン受光面の受光量及び前記補正用受光面の受光量に基づいて全加算信号を生成する
ことを特徴とする請求項１乃至５のいずれか一項に記載の光学ドライブ装置。
【請求項７】
前記光検出器は、前記メイン受光面とは別に配置された第１及び第２のサブ受光面を有し、
前記補正用受光面は、前記第１及び第２のサブ受光面に関しては配置されない
ことを特徴とする請求項１乃至６のいずれか一項に記載の光学ドライブ装置。
【発明の詳細な説明】
【技術分野】
【０００１】
本発明は光学ドライブ装置に関し、特に非点収差法によるフォーカスサーボを行う光学ドライブ装置に関する。
【背景技術】
【０００２】
光学ドライブ装置は、光ディスクの記録面に光ビームを照射する機能と、記録面で反射した光ビーム（反射光ビーム）を受光し、受光量に基づいてフォーカスサーボやトラッキングサーボを行う機能とを備えている。反射光ビームの受光量は、受光面を有する光検出器で反射光ビームを受光し、その強度を受光面で面積分することによって算出される。
【０００３】
ところで、反射光ビームには、アクセス対象の記録層で反射した光ビーム（信号光）だけでなく、それ以外のところで反射した、いわゆる「迷光」が含まれる。多層化された光ディスク（多層光ディスク）の記録・再生を行う場合には、アクセス対象層以外の記録層で反射した反射光ビームもこの「迷光」に含まれる。フォーカスサーボやトラッキングサーボは「信号光」の受光量を前提として行われるため、上記のようにして算出された受光量に「迷光」分が含まれていると、フォーカスサーボやトラッキングサーボの精度が悪化する原因となる。
【０００４】
特許文献１には、非点収差法で用いるシリンドリカルレンズとその前側焦線位置との間にスリットを配して迷光を遮断し、それによってフォーカスサーボやトラッキングサーボの精度を向上しようとする技術が開示されている。
【先行技術文献】
【特許文献】
【０００５】
【特許文献１】特許第４４３４３００号公報
【発明の概要】
【発明が解決しようとする課題】
【０００６】
しかしながら、特許文献１に開示されるようなスリットを用いるやり方（以下、「スリット法」という。）では、フォーカスサーボに用いるフォーカス誤差信号に、新たなオフセットが生ずることが分かった。以下、詳しく説明する。
【０００７】
図６は、反射光ビームを受光するための４分割受光面１００を示す平面図である。同図に示すように、受光面１００は、それぞれ正方形の４つの受光領域Ａ〜Ｄによって構成される。同図には、信号光が受光面１００上に形成する信号光スポット１０１と、迷光が受光面１００上に形成する迷光スポット１０２とについても記載している。迷光スポット１０２が長方形となっているのは、スリットを通過しているためである。
【０００８】
フォーカス誤差信号ＦＥは、次の式（１）により生成される。ただし、ＩＸは受光領域Ｘの受光量である。
【０００９】
【数１】
0005397418.tif 000002
【００１０】
迷光の受光量のみに着目して式（１）を算出すると、次の式（２）のようにフォーカス誤差信号ＦＥの迷光成分ＦＥＳＴＲＡＹが得られる。ただし、ＳＸは受光領域Ｘにおける迷光の受光量である。
【００１１】
【数２】
0005397418.tif 000003
【００１２】
迷光は焦点の合っていない光ビームであり、受光面１００上では大きく広がっている。したがって、迷光スポットの強度分布は受光面１００上でほぼ一定であると考えてよいので、迷光の受光量は迷光の受光面積に比例することになる。すると、図６より明らかなように、ＳＡ＝ＳＣ、ＳＢ＝ＳＤであるので、式（２）は次の式（３）のように書き換えられる。
【００１３】
【数３】
0005397418.tif 000004
【００１４】
図６からも明らかなように、式（３）の右辺はゼロにはならない。このことから、スリットを用いる場合のフォーカス誤差信号ＦＥには、式（３）で表される迷光成分ＦＥＳＴＲＡＹのオフセットが生じていると言える。
【００１５】
したがって、本発明の目的の一つは、スリット法に起因するフォーカス誤差信号のオフセットをキャンセルできる光学ドライブ装置を提供することにある。
【課題を解決するための手段】
【００１６】
上記目的を達成するための本発明による光学ドライブ装置は、レーザ光源と、四角形のメイン受光面を有する光検出器と、前記レーザ光源が発生した光ビームを、多層光ディスクの複数の記録層のうちのアクセス対象層に集光させるとともに、該多層光ディスクで反射した前記光ビームである反射光ビームを前記光検出器に集光させるレンズ系と、前記レンズ系を通過した前記反射光ビームに非点収差を与える非点収差光学素子と、前記非点収差光学素子の２つの焦線位置のうち前記非点収差光学素子に近い前側焦線位置での前記信号光成分の断面形状の短手方向の両外側を遮蔽する遮蔽板とを備え、前記光検出器は、前記メイン受光面の２つの対角線のうち前記断面形状の長手方向に対応する対角線の延長線上に設けられた補正用受光面をさらに有することを特徴とする。
【００１７】
本発明によれば、メイン受光面の受光量を用いて通常どおり算出したフォーカス誤差信号から補正用受光面の受光量を減算することにより、スリット法に起因するフォーカス誤差信号のオフセットをキャンセルできる。
【００１８】
上記光学ドライブ装置において、前記遮蔽板を通過した前記反射光ビームが前記メイン受光面に形成するスポットの、前記断面形状の長手方向に対応する第１の方向の幅は、前記メイン受光面及び前記補正用受光面を含む前記光検出器の受光面の該第１の方向の幅より大きいこととしてもよい。
【００１９】
また、上記光学ドライブ装置において、前記メイン受光面は、それぞれ正方形の第１乃至第４の受光領域に分割された４分割受光面であり、前記補正用受光面は、第１及び第２の補正用受光面を含み、前記反射光ビームに含まれる迷光成分が前記受光面に形成する迷光スポットの長手方向は、前記第１の受光領域と前記第３の受光領域とを結ぶ方向に一致し、前記第２及び第４の受光領域のうち、前記迷光スポットが照射される部分をそれぞれ第１及び第２の領域とすると、前記第１の補正用受光面は、前記第１の受光領域のうち前記第１又は第２の領域と前記メイン受光面の中心を中心として回転対称な領域を除く部分と、前記メイン受光面の前記第１の受光領域に含まれる第１の頂点を中心として１８０度対称な形状を有し、前記第２の補正用受光面は、前記第３の受光領域のうち前記第１又は第２の領域と前記メイン受光面の中心を中心として回転対称な領域を除く部分と、前記メイン受光面の前記第３の受光領域に含まれる第２の頂点を中心として１８０度対称な形状を有することとしてもよい。
【００２０】
また、上記光学ドライブ装置において、前記メイン受光面は、それぞれ正方形の第１乃至第４の受光領域に分割された４分割受光面であり、前記補正用受光面は、第１及び第２の補正用受光面を含み、前記反射光ビームに含まれる迷光成分が前記受光面に形成する迷光スポットの長手方向は、前記第１の受光領域と前記第３の受光領域とを結ぶ方向に一致し、前記第１の補正用受光面は、前記第１の受光領域と、前記メイン受光面の前記第１の受光領域に含まれる第１の頂点を中心として１８０度対称な形状を有し、前記第２の補正用受光面は、前記第３の受光領域と、前記メイン受光面の前記第３の受光領域に含まれる第２の頂点を中心として１８０度対称な形状を有することとしてもよい。
【００２１】
また、上記光学ドライブ装置において、前記メイン受光面の受光量及び前記補正用受光面の受光量に基づいてフォーカス誤差信号を生成する処理手段をさらに備えることとしてもよく、さらに、前記メイン受光面は、それぞれ正方形の第１乃至第４の受光領域に分割された４分割受光面であり、前記処理手段は、前記第１及び第３の受光領域の各受光量の合計から、前記第２及び第４の受光領域の各受光量並びに前記補正用受光面の受光量の合計を減算することにより、フォーカス誤差信号を生成することとしてもよい。
【００２２】
また、上記光学ドライブ装置において、前記処理手段は、前記メイン受光面の受光量及び前記補正用受光面の受光量に基づいて全加算信号を生成することとしてもよい。
【００２３】
また、上記光学ドライブ装置において、前記光検出器は、前記メイン受光面とは別に配置された第１及び第２のサブ受光面を有し、前記補正用受光面は、前記第１及び第２のサブ受光面に関しては配置されないこととしてもよい。
【発明の効果】
【００２４】
本発明によれば、メイン受光面の受光量を用いて通常どおり算出したフォーカス誤差信号から補正用受光面の受光量を減算することにより、スリット法に起因するフォーカス誤差信号のオフセットをキャンセルできる。
【図面の簡単な説明】
【００２５】
【図１】本発明の実施の形態による光学ドライブ装置の模式図である。
【図２】センサレンズによって付与される非点収差の説明図である。
【図３】（ａ）（ｂ）はそれぞれ、本発明の実施の形態による光学ドライブ装置における、前側焦線位置及び合焦点の平面図である。
【図４】（ａ）は、本発明の実施の形態による光検出器の近傍を拡大して描いた図である。（ｂ）は、本発明の背景技術による光学ドライブ装置の光検出器の近傍を、（ａ）と同様に描いた図である。
【図５】本発明の実施の形態による補正用受光面の形状及び配置について説明するための説明図である。
【図６】本発明の背景技術による４分割受光面を示す平面図である。
【発明を実施するための形態】
【００２６】
以下、添付図面を参照しながら、本発明の好ましい実施の形態について詳細に説明する。
【００２７】
図１は、本発明の実施の形態による光学ドライブ装置１の模式図である。
【００２８】
光学ドライブ装置１は、光ディスク１１の再生及び記録の少なくとも一方を行う。光ディスク１１としてはＣＤ、ＤＶＤ、ＢＤ等の各種光記録媒体を用いることができるが、本実施の形態では特に、多層膜によって多層化された記録面を有する円盤状の光ディスク（多層光ディスク）を用いる。
【００２９】
図１に示すように、光学ドライブ装置１は、レーザ光源２、光学系３、対物レンズ４、光検出器５、及び処理部６を備えて構成される。これらのうち、レーザ光源２、光学系３、対物レンズ４、及び光検出器５は光ピックアップを構成する。
【００３０】
光学系３は、回折格子２１、ビームスプリッタ２２、コリメータレンズ２３、１／４波長板２４、センサレンズ（非点収差光学素子。シリンドリカルレンズ）２５を有している。光学系３は、レーザ光源２が発生した光ビームを光ディスク１１に導く往路光学系として機能するとともに、光ディスク１１で反射した光ビームである反射光ビームを光検出器５に導く復路光学系としても機能する。
【００３１】
往路光学系では、回折格子２１は、レーザ光源２が発した光ビームを３ビーム（０次回折光及び±１次回折光）に分解しＳ偏光としてビームスプリッタ２２に入射させる。ビームスプリッタ２２は、入射されたＳ偏光を反射して、その進路を光ディスク１１方向に折り曲げる。コリメータレンズ２３は、ビームスプリッタ２２から入射される光ビームを平行光とする。１／４波長板２４は、コリメータレンズ２３を通過した光ビームを円偏光とする。１／４波長板２４を通過した光ビームは対物レンズ４に入射する。
【００３２】
対物レンズ４は、コリメータレンズ２３とともに、レーザ光源２が発生した光ビームを、光ディスク１１の複数の記録層のうちのアクセス対象層に集光させるとともに、光ディスク１１で反射した反射光ビームを光検出器５に集光させるレンズ系を構成する。具体的には、対物レンズ４は、光学系３から入射される光ビーム（コリメータレンズ２３を通過して平行光となった光ビーム）を光ディスク１１上に集光させ、光ディスク１１の記録面で反射してきた反射光ビームを平行光に戻す。平行光に戻された反射光ビームは、コリメータレンズ２３を通過することによって、光検出器５に集光する。
【００３３】
ここで、反射光ビームは記録面のランド・グループで回折されており、０次回折光及び±１次回折光に分解されている。この０次回折光及び±１次回折光は、回折格子２１により生ずる０次回折光及び±１次回折光とは異なるものである。紛らわしいので、本明細書では、回折格子２１により分解された０次回折光，＋１次回折光，−１次回折光をそれぞれメインビームＭＢ，サブビームＳＢ１，サブビームＳＢ２と称し、０次回折光及び±１次回折光という場合には記録面のランド・グループでの回折によって生じた回折光を指すことにする。メインビームＭＢ，サブビームＳＢ１，サブビームＳＢ２は、それぞれ独立して反射光ビームを生ずる。
【００３４】
復路光学系では、対物レンズ４を通過し、１／４波長板２４を往復することによりＰ偏光となった反射光ビームがコリメータレンズ２３に入射する。コリメータレンズ２３を通過した反射光ビームは、集光しつつビームスプリッタ２２に入射する。ビームスプリッタ２２は、入射してきた反射光ビームを透過してセンサレンズ２５（シリンドリカルレンズ）に入射させる。センサレンズ２５は、ビームスプリッタ２２から入射された反射光ビームに非点収差を付与する。非点収差を付与された反射光ビームは光検出器５に入射する。
【００３５】
図２はセンサレンズ２５によって付与される非点収差の説明図である。同図に示すように、センサレンズ２５は一方方向（同図ＭＹ軸方向＝子線方向。）にのみレンズ効果を有している。そのため、図１に示したコリメータレンズ２３とセンサレンズ２５によって構成される光学系の焦点の位置は、ＭＹ軸方向と、ＭＹ軸方向に垂直な方向であるＭＸ軸方向（母線方向）とで異なっている。
【００３６】
ＭＹ軸方向の焦点が合う位置を、図２に示すように「前側焦線位置」という。以下では、単に「前側焦線位置」という場合、フォーカスサーボオンのとき（信号光成分の合焦点が光検出器５の受光面上にあるとき）の信号光成分の「前側焦線位置」を指すことにする。前側焦線位置における反射光ビームの断面形状は、ＭＸ軸方向に細長い長方形状となる。同様に、ＭＸ軸方向の焦点が合う位置を「後側焦線位置」という。この位置における反射光ビームの断面形状は、ＭＹ軸方向に細長い長方形状となる。なお、ＭＹ軸方向とＭＸ軸方向の反射光ビームの長さが等しい点を「合焦点」という。
【００３７】
光学ドライブ装置１では、焦点を合わせようとする層（アクセス対象層）で反射した反射光ビーム（信号光成分）の合焦点がちょうど光検出器５上に位置するようにするための、対物レンズ４の位置制御が行われる（フォーカスサーボ）。逆に言えば、アクセス対象層以外の記録層で反射した光ビーム（迷光成分）の合焦点は光検出器５上に位置しないこととなり、迷光成分が光検出器５上に形成するスポット（迷光スポット）は、信号光成分が光検出器５上に形成するスポット（信号光スポット）に比べ、大きく広がった形状を有することとなる。
【００３８】
図３（ａ）（ｂ）はそれぞれ、光学ドライブ装置１における、前側焦線位置及び合焦点の平面図である。図３（ａ）には、メインビームＭＢ、サブビームＳＢ１，ＳＢ２それぞれの信号光成分と、メインビームＭＢの迷光成分（ＭＭＢと記す）とについて、前側焦線位置における断面形状を記載している。また、図３（ｂ）には、メインビームＭＢ、サブビームＳＢ１，ＳＢ２それぞれの信号光成分が光検出器５上に形成するスポット（信号光スポット）と、メインビームＭＢの迷光成分ＭＭＢが光検出器５上に形成するスポット（迷光スポット）とを記載している。
【００３９】
図３（ａ）及び図１に示すように、前側焦線位置には遮蔽板３１が配置される。遮蔽板３１は、前側焦線位置での信号光成分の断面形状の短手方向の両外側を遮蔽するように配置される。具体的には、図３（ａ）に示すように、受光面に対応する領域よりも十分に広い外周を有し、かつ信号光成分を通すための開口部３１ａ〜３１ｃを有する遮蔽板とすればよい。開口部３１ａ〜３１ｃは、信号光成分の断面形状より少し大きい長方形とすることが好ましい。
【００４０】
なお、開口部３１ａの短手方向の幅は、図３（ａ）に例示するように、開口部３１ｂ，３１ｃに比べて大きくすることが必要である。これは、１ビーム法による非点収差法に対応するためである。つまり、非点収差法によるフォーカスサーボを行うためには、合焦点だけでなく合焦点から少しずれた位置でも信号光成分を正しく受光できるようにする必要がある。そこで、合焦点から少しずれた位置で信号光成分をすべて通過させられるように、開口部３１ａの短手方向の幅を、信号光成分の断面形状の短手方向の幅に比べて少し大き目に確保する。
【００４１】
また、図３（ａ）に例示するように、開口部３１ａ〜３１ｃの長手方向の幅は、信号光成分の断面形状に比べて大きくすることが好ましい。これは、トラッキングサーボによって対物レンズ４が移動する（この移動を「レンズシフト」という）と、信号光成分の断面形状が、その長手方向に移動することに対応するものである。また、開口部３１ａの長手方向の幅は、後述する補正用受光面５ｄ−１，５ｄ−２で迷光スポットが好適に受光されるよう、特に長く設定される。この点については、後ほど詳しく説明する。
【００４２】
遮蔽板３１と光検出器５の受光面の位置関係について説明する。図４（ａ）は、光検出器５の近傍を拡大して描いた図である。同図には、図１には明示していなかった基板４０も記載している。基板４０上には、光検出器５の他、図１に示した処理部６などもマウントされる。ただし、基板４０上に別の基板（図示せず）を設け、そこに、光検出器５の他、図１に示した処理部６などをマウントしてもよい。
【００４３】
図４（ａ）にも示すように、光検出器５のおもて面（受光面５ａ〜５ｃ等が設けられる表面）には、ガラス３０を挟んで遮蔽板３１が固着される。ガラス３０の厚みＤは、ガラスの屈折率を考慮して、信号光成分の合焦点と前側焦線位置の間の距離に等しくなるよう設定されており、したがって、フォーカスサーボオンのとき、遮蔽板３１は前側焦線位置に配置されることになる。
【００４４】
光検出器５の後述する各受光領域及び補正用受光面（以下、まとめて「受光領域」という場合がある。）は、光検出器５を貫通する貫通電極ＴＨと、光検出器５のうら面に設けられたバンプＢＰを介して、基板４０の表面に形成された配線パターン（不図示）に接続される。各受光領域の受光量を示す信号（光検出器５の出力信号）は、このルートを通じて基板４０に伝達される。
【００４５】
参考として、背景技術による光学ドライブ装置の例を挙げておく。図４（ｂ）は、背景技術による光学ドライブ装置の光検出器５の近傍を、図４（ａ）と同様に描いた図である。同図に示すように、背景技術では、ボンディングワイヤーＷＢ及び基板４０に設けられたボンディングパッドＰを用いて、光検出器５の出力信号を基板４０に伝達している。しかし、本実施の形態では、ガラス３０が存在するためにこのようなボンディングワイヤーＷＢの利用ができないことから、上述したように、貫通電極ＴＨを用いて光検出器５の出力信号を基板４０に伝達している。
【００４６】
図３に戻る。光検出器５は、図３（ｂ）に示すように、いずれも正方形である受光面５ａ〜５ｃ（メイン受光面、第１のサブ受光面、第２のサブ受光面）と、補正用受光面５ｄ−１，５ｄ−２とを有している。受光面５ａ〜５ｃは、図３に示すように、それぞれいずれも正方形である４つの受光領域に分割されている。光検出器５は、これらの受光領域（補正用受光面５ｄ−１，５ｄ−２を含む）ごとに、光ビームの強度を受光面で面積分して得られる値（受光量）の振幅を有する信号を出力するよう構成される。受光面５ａ〜５ｃの面積は、信号光スポットが受光面５ａ〜５ｃ内に収まるように決定される。具体的には、正方形である受光面５ａ〜５ｃそれぞれの一辺の長さを、信号光スポットの直径の２倍に等しくすることが好ましい。
【００４７】
受光面５ａ〜５ｃは、それぞれメインビームＭＢ、サブビームＳＢ１、サブビームＳＢ２を受光する目的で設けられているもので、それぞれ対応する反射光ビームの信号光スポットが形成される場所に配置される。４つの受光領域は、それぞれ左上から反時計回りに、受光面５ａでは受光領域Ａ〜Ｄ、受光面５ｂでは受光領域Ｅ１〜Ｅ４、受光面５ｃでは受光領域Ｆ１〜Ｆ４である。
【００４８】
補正用受光面５ｄ−１，５ｄ−２は、開口部３１ａを通過した迷光成分を受光する目的で設けられているもので、それぞれ、受光面５ａの２つの対角線のうち、迷光スポットの長手方向（前側焦線位置での信号光成分の断面形状の長手方向。以下では「第１の方向」と称する）に対応する対角線の延長線上に設けられる。
【００４９】
図５は、補正用受光面５ｄ−１，５ｄ−２の形状及び配置について説明するための説明図である。図示した方向Ｘは、上述した第１の方向である。受光面５ａ付近での迷光スポットは、図５にも示すように、第１の方向Ｘに長い長方形のスポットとなる。これは、このスポットが、第１の方向に長い長方形である開口部３１ａを通過した迷光成分によって形成される迷光スポットだからである。
【００５０】
受光領域Ｂ，Ｄのうち、迷光スポットが照射される部分を、図５に示すように、それぞれ領域Ｓ２，Ｓ１とする。図５に示した領域Ｓ３は、受光領域Ｃのうち領域Ｓ１（又は領域Ｓ２）と受光面５ａの中心Ｐ１を中心として回転対称な領域である。補正用受光面５ｄ−１は、受光領域Ｃのうちこの領域Ｓ３を除く部分（図示した領域Ｓ５）と、受光面５ａの受光領域Ｃに含まれる頂点Ｐ２（第１の頂点）を中心として１８０度対称な形状を有している。同様に、図５に示した領域Ｓ４は、受光領域Ａのうち領域Ｓ２（又は領域Ｓ１）と受光面５ａの中心Ｐ１を中心として回転対称な領域である。補正用受光面５ｄ−２は、受光領域Ａのうちこの領域Ｓ４を除く部分（図示した領域Ｓ６）と、受光面５ａの受光領域Ａに含まれる頂点Ｐ３（第２の頂点）を中心として１８０度対称な形状を有している。
【００５１】
補正用受光面５ｄ−１，５ｄ−２を以上のような形状及び配置としたうえで、光学ドライブ装置１ではさらに、迷光スポットの長手方向の幅Ｌ１（第１の方向Ｘの幅）が、受光面５ａ及び補正用受光面５ｄ−１，５ｄ−２を含む光検出器５の受光面の幅Ｌ２（第１の方向Ｘの幅）より大きくなるように、開口部３１ａの長手方向の幅を設定している。したがって、補正用受光面５ｄ−１には、領域Ｓ５での光ビームと同程度の受光量で光ビームが受光され、補正用受光面５ｄ−２には、領域Ｓ６での光ビームと同程度の受光量で光ビームが受光されることになる。
【００５２】
図１に戻る。処理部６は、一例として多チャンネル分のアナログ信号をデジタルデータに変換するＡ／Ｄ変換機能を備えたＤＳＰ(Digital Signal Processor)で構成されており、光検出器５の出力信号を受け付けて、フォーカス誤差信号ＦＥ、全加算信号（プルイン信号ＰＩ、ＲＦ信号ＲＦ）、トラッキング誤差信号ＴＥを生成する。
【００５３】
このうち、本発明の効果を直接受けるのは、フォーカス誤差信号ＦＥと全加算信号である。これらについては後に詳しく説明するとして、初めにトラッキング誤差信号ＴＥについて説明しておくと、処理部６は、次の式（４）乃至式（６）によりトラッキング誤差信号ＴＥを生成することが好適である。ただし、ｋは定数である。また、以下の説明において、ＩＸは受光領域（又は補正用受光面）Ｘの受光量を示す。
【００５４】
【数４】
0005397418.tif 000005
【００５５】
式（４）乃至式（６）は、３ビーム法による差動プッシュプル法そのものである。図３（ｂ）に示した迷光スポットの形状から明らかなように、レンズシフト時のトラッキング誤差信号ＴＥの迷光に起因するオフセットは、大幅に低減される。つまり、トラッキング誤差信号ＴＥの迷光に起因するオフセットに関してはサブ信号光と迷光の干渉による影響が特に支配的であるが、スリット法によれば、サブ信号光に重なる迷光の面積を減らすことができるため、オフセットを大幅に低減できる。
【００５６】
次に、フォーカス誤差信号ＦＥに関しては、処理部６は、受光面５ａの受光量及び補正用受光面５ｄ−１，５ｄ−２の受光量に基づいてフォーカス誤差信号ＦＥを生成する。具体的には、受光領域Ａ，Ｃの各受光量の合計から、受光領域Ｂ，Ｄの各受光量並びに補正用受光面５ｄ−１，５ｄ−２の受光量の合計を減算することにより、フォーカス誤差信号ＦＥを生成する。式で表すと、次の式（７）となる。
【００５７】
【数５】
0005397418.tif 000006
【００５８】
式（７）は、別の見方をすれば、上述した背景技術による式（１）により生成したフォーカス誤差信号ＦＥを、補正用受光面５ｄ−１，５ｄ−２の受光量の合計Ｉ５ｄ−１＋Ｉ５ｄ−２で補正したものとなっている。フォーカス誤差信号ＦＥの生成にこの式（７）を用いることで、スリット法に起因するフォーカス誤差信号ＦＥのオフセットをキャンセルできる。以下、この点について、再度図５を参照しながら説明する。
【００５９】
図５に示した領域Ｓ１〜Ｓ４での迷光成分の受光量は、式（７）によらずとも式（１）によってフォーカス誤差信号ＦＥを生成することで、明らかにキャンセルされている。これに対し、領域Ｓ５，Ｓ６での迷光成分の受光量は、式（１）によってはキャンセルされない。つまり、式（１）では、領域Ｓ５，Ｓ６での迷光成分の受光量をともに加算しているので、これらはフォーカス誤差信号ＦＥのオフセットとして現れることになる。このオフセットは、上述した式（３）に示した迷光成分ＦＥＳＴＲＡＹに等しい。
【００６０】
上述したように、補正用受光面５ｄ−１には、領域Ｓ５での光ビームと同程度の受光量で光ビームが受光され、補正用受光面５ｄ−２には、領域Ｓ６での光ビームと同程度の受光量で光ビームが受光される。このため、式（７）のように、式（１）によって生成したフォーカス誤差信号ＦＥから補正用受光面５ｄ−１，５ｄ−２の受光量の合計Ｉ５ｄ−１＋Ｉ５ｄ−２を減算すると、領域Ｓ５，Ｓ６での迷光成分の受光量を減算したのと同じ効果が得られることになる。したがって、式（７）を用いることで、スリット法に起因するフォーカス誤差信号ＦＥのオフセットをキャンセルすることが可能になっていると言える。
【００６１】
次に、全加算信号に関しても、処理部６は、受光面５ａの受光量及び補正用受光面５ｄ−１，５ｄ−２の受光量に基づいて全加算信号を生成する。具体的には、受光領域Ａ〜Ｄの各受光量の合計から、補正用受光面５ｄ−１，５ｄ−２の受光量の合計を減算することにより、全加算信号を生成する。式で表すと、次の式（８）となる。
【００６２】
【数６】
0005397418.tif 000007
【００６３】
式（８）によれば、領域Ｓ１〜Ｓ４（図５）での迷光成分の受光量はキャンセルされないものの、領域Ｓ５，Ｓ６での迷光成分の受光量は、式（７）と同様にキャンセルされる。したがって、完全ではないものの、式（８）を用いることで、スリット法に起因する全加算信号のオフセットをキャンセルすることが可能になっていると言える。これにより、ＣＰＵ７において再生・記録用のデータ信号として利用されるＲＦ信号ＲＦが迷光成分の影響を受けにくくなることから、ＣＰＵ７では、ジッターが良好なデータ信号を得ることが可能となっている。また、フォーカスサーボの際に光ビームの記録媒体上での凡その合焦位置を得るために利用されるプルイン信号ＰＩが迷光成分の影響を受けにくくなることから、フォーカスサーボの際に合焦位置を安定的に得ることが可能となっている。
【００６４】
図１に戻る。ＣＰＵ７はコンピュータやＤＶＤレコーダー等に内臓される処理装置であり、図示しないインターフェイスを介し、処理部６に対して光ディスク１１上のアクセス位置を特定するための指示信号を送信する。この指示信号を受信した処理部６は、フォーカスサーボ及びトラッキングサーボを行う。トラッキングサーボは、トラッキング誤差信号ＴＥがゼロとなる位置まで対物レンズ４を光ディスク１１の表面に平行に移動させる（レンズシフト）ことによってトラックオン状態を実現する処理であり、フォーカスサーボオンの状態で実施される。トラックオン状態になると、ＣＰＵ７は処理部６が生成するＲＦ信号ＲＦをデータ信号として取得する。
【００６５】
以上説明したように、本実施の形態による光学ドライブ装置１によれば、スリット法に起因するフォーカス誤差信号ＦＥ及び全加算信号のオフセットをキャンセルすることが可能になっている。
【００６６】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００６７】
例えば、補正用受光面の形状は、製造上の容易さなどを考慮して、受光領域Ａ，Ｃと同じであってもよい。このような場合であっても、迷光の補正は十分に可能である。
【符号の説明】
【００６８】
１              光学ドライブ装置
２              レーザ光源
３              光学系
４              対物レンズ
５              光検出器
５ａ〜５ｃ      受光面
５ｄ−１，５ｄ−２  補正用受光面
６              処理部
７              ＣＰＵ
１１            光ディスク
２１            回折格子
２２            ビームスプリッタ
２３            コリメータレンズ
２４            １／４波長板
２５            センサレンズ
３０            ガラス
３１            遮蔽板
３１ａ〜３１ｃ  開口部
４０            基板
Ａ〜Ｄ，Ｅ１〜Ｅ４，Ｆ１〜Ｆ４  受光領域
ＢＰ            バンプ
ＭＢ            メインビーム
ＭＭＢ            メインビームの迷光成分
Ｐ              ボンディングパッド
ＳＢ１〜ＳＢ２  サブビーム
ＴＨ            貫通電極
ＷＢ            ボンディングワイヤー
【図１】
0005397418.tif 000008
【図２】
0005397418.tif 000009
【図３】
0005397418.tif 000010
【図４】
0005397418.tif 000011
【図５】
0005397418.tif 000012
【図６】
0005397418.tif 000013